(57)【要約】      （修正有）【課題】かごの走行中に制御ケーブルがかごに接触することを防止すると共に、制御ケーブルが回転体に接触して回転体を押圧する時の騒音も少なくすることができるエレベータ制御ケーブルの保護装置を提供する。【解決手段】一端をかご１の底部１ａから吊設し他端を昇降路に設けた中継点に吊設して壁面に沿って垂下した制御ケーブル４の壁面側に対向して、回転体７を保持部材８により回転自在に保持してかごの底部に配設したエレベータ制御ケーブル４の保護装置において、保持部材８に連結してかご方向へ伸縮する緩衝機構２１をかごの底部に備えた。【選択図】図２
2014037301.tif 000002
【特許請求の範囲】
【請求項１】
一端をかごの底部から吊設し他端を昇降路に設けた中継点に吊設して前記昇降路の壁面に沿って垂下した制御ケーブルの前記壁面側に対向して、前記制御ケーブルの前記かごへの接触を防ぐ回転体を保持部材により回転自在に保持して前記かごの底部に配設したエレベータ制御ケーブルの保護装置において、
前記かごの底部に、前記保持部材を回動可能に保持する固定部材と、
前記保持部材に回動可能に連結して前記かご方向に対して伸縮する緩衝機構と、を備えた
ことを特徴とするエレベータ制御ケーブルの保護装置。
【請求項２】
前記緩衝機構は、
前記保持部材に対向した孔を有し前記かごの底部に配設した金具と、
一端部が前記保持部材に回動可能に連結され他端部が前記孔に挿通されたバネロッドと、
前記バネロッドに装着されたバネと、
前記孔に挿入された前記バネロッドの他端部側に固定されたストッパと、を備えた
ことを特徴とする請求項１に記載のエレベータ制御ケーブルの保護装置。
【請求項３】
前記回転体を上下方向に少なくとも２つ並設して備えた
ことを特徴とする請求項１あるいは２に記載のエレベータ制御ケーブルの保護装置。
【請求項４】
前記回転体は、円筒形状の第１のローラーと前記第１のローラーの内径より外形が小さい円筒形状の第２のローラーを備え、第１のローラーに第２のローラーを遊挿した
ことを特徴とする請求項１から３のいずれかに記載のエレベータ制御ケーブルの保護装置。
【発明の詳細な説明】
【技術分野】
【０００１】
この発明は、回転体を用いてエレベータ制御ケーブルを保護するエレベータ制御ケーブルの保護装置に関する。
【背景技術】
【０００２】
従来、エレベータのかごへの動力・制御信号を伝達する制御ケーブルがかごの走行中にかごに接触することを防ぐために、回転自在な回転体をかごに設けていた(例えば下記特許文献１および特許文献２参照)。
【先行技術文献】
【特許文献】
【０００３】
【特許文献１】特開昭５６−１２７５７４号公報  (第３図)
【特許文献２】特開平８−１４３２４６号公報  (第１図)
【発明の概要】
【発明が解決しようとする課題】
【０００４】
かごに回転体を設けたことにより、制御ケーブルが回転体に接触して回転体が回転し、摩擦が減少して制御ケーブルの磨耗を防ぐことは出来るが、制御ケーブルが回転体に接触して回転体を押圧する時の騒音を充分に減少できないことが判明した。
【０００５】
この発明は上記課題を解決するためになされたもので、かごの走行中に制御ケーブルがかごに接触することを防止すると共に、制御ケーブルが回転体に接触して回転体を押圧する時の騒音も少なくすることができるエレベータ制御ケーブルの保護装置を提供することを目的とする。
【課題を解決するための手段】
【０００６】
この発明に係るエレベータ制御ケーブルの保護装置は、一端をかごの底部から吊設し他端を昇降路に設けた中継点に吊設して前記昇降路の壁面に沿って垂下した制御ケーブルの前記壁面側に対向して、前記制御ケーブルの前記かごへの接触を防ぐ回転体を保持部材により回転自在に保持して前記かごの底部に配設したエレベータ制御ケーブルの保護装置において、前記かごの底部に、前記保持部材を回動可能に保持する固定部材と、前記保持部材に回動可能に連結して前記かご方向に対して伸縮する緩衝機構と、を備えている。
【発明の効果】
【０００７】
この発明によれば、緩衝機構は、制御ケーブルが回転体に接触して押圧する時にかご方向に縮み、制御ケーブルが回転体から離れると昇降路の壁面方向に伸びることで、制御ケーブルが回転体に接触して押圧する時の衝撃エネルギーを吸収するので、騒音の発生を少なくすることができる。
【図面の簡単な説明】
【０００８】
【図１】この発明の一実施形態を示すエレベータ制御ケーブルの保護装置の配置を示す全体図である。
【図２】図１のエレベータ制御ケーブルの保護装置の詳細図である。
【図３】図２における矢印ＩＩＩ方向から見た回転体の断面図である。
【図４】エレベータ制御ケーブルの保護装置の動作を説明する図である。
【発明を実施するための形態】
【０００９】
以下、この発明の一実施形態の詳細について、添付の図面を参照して説明する。
【００１０】
実施の形態１
図１〜図４は、この発明の実施の形態１を説明する図である。
図１に示すように、エレベータのかご１はロープ２に吊持されて昇降路３内を昇降する。制御ケーブル４は、一端部がかご１の底面および底面付近の側面部も含めた底部１ａに吊設され、他端部が昇降路３に設けられた中継点５から吊設され壁面３ａに沿って垂下している。そして、かご１の底部１ａにはエレベータ制御ケーブルの保護装置６が設けられている。
【００１１】
図２に示すようにエレベータ制御ケーブルの保護装置６は、制御ケーブル４が接触した時に回転する円筒形状の回転体７と、回転体７の両端部を保持する一対の保持部材８と、保持部材８をかご１方向へ回動可能に保持する一対の固定部材２４と、保持部材８に連結してかご１方向に対して伸縮する緩衝機構２５とで構成されている。
【００１２】
回転体７は、図２に示すように昇降路３の壁面３ａに沿って垂下した制御ケーブル４に対向している。保持部材８は、中間部から先端部がかご１方向に曲げて形成された一対の板材からなり、中間部と先端部とに形成された孔８ａに回転体７の両端部に突出して設けられたローラー軸１３を挿入し、このローラー軸１３に固定具９を装着して回転体７を回転自在に保持している。
【００１３】
かご１の底部１ａに保持部材８を回動可能に保持する一対の固定部材２４が配設されている。保持部材８は端部に孔８ａが形成されており、この孔８ａと一対の固定部材２４の一端部に設けられた孔２４ａとに取付けボルト１０の軸部を挿通して、保持部材８が回動可能に取付けボルト１０の軸部に固定具９を装着している。これらにより、回転体７を保持した保持部材８は、２点鎖線で回動した位置を示すように、かご１の底部１ａに配設した固定部材２４に回動可能に保持されている。
【００１４】
緩衝機構２５は、バネロッド２０と、バネ２１と、ストッパ２２と、金具２３とで構成されている。
バネロッド２０はバネ２１を装着する軸部の一端部にＬ字型の連結部２０ａが形成されており、さらに、連結部２０ａには保持部材８と連結するための孔２０ｂが形成されている。そして、孔２０ｂと保持部材８に形成された孔８ａとに取付けボルト１０の軸部を挿入し、バネロッド２０が回動可能に取付けボルト１０の軸部に固定具９を装着している。
【００１５】
一方、バネロッド２０の軸部は、バネ２１が装着された状態で、かご１の底部１ａに固定された金具２３に形成された孔２３ａに挿入され、挿入された軸部の端部にバネロッド２０が昇降路３の壁面３ａ側に飛び出すことを防ぐストッパ２２が固定されている。これらによる緩衝機構２５により、回転体７を保持した保持部材８がかご１方向へ回動した時にバネ２１が縮む。
【００１６】
ここで、図３に回転体７の詳細を示す。回転体７は円筒形状の第１のローラー１１と第１のローラー１１の内径より外形が小さい円筒形状の第２のローラー１２を備えており、第１のローラー１１に第２のローラー１２を遊挿している。また、第２のローラー１２の遊挿する深さを変えることで回転体７の円筒方向の長さを変えることができる。
【００１７】
第１のローラー１１は、先端側が開口されて円筒内が空洞となっており、保持部材８への取付け側にローラー軸１３の軸部より少し大きな孔１４ａを有するブッシュ１４が嵌装されている。そして、ローラー軸１３が、先端部から挿入されて孔１４ａに挿通し、止め具１６がブッシュ１４の端面１４ｂと隙間を保って装着されて回転自在に保持されている。第２のローラー１２は、先端側にローラー軸１３が挿通可能な孔１５ａの形成された栓１５が嵌装されており、保持部材８への取付け側は孔１４ａを有するブッシュ１４が嵌装されている。そして、ローラー軸１３が、先端部から挿入されて孔１４ａに挿通し、止め具１６がブッシュ１４の端面１４ｂと隙間を保って装着されて回転自在に保持されている。これらにより図２に示すように、回転体７は、ローラー軸１３が保持部材８に保持されて、保持部材８に回転自在に保持される。
【００１８】
次に、制御ケーブル４が回転体７を押圧した時のエレベータ制御ケーブルの保護装置６の動作について図４を用いて説明する。
かご１が最下階に近づいてかご１の底部と制御ケーブル４との距離が近くなり、制御ケーブル４が矢印Ａ方向（かご１方向）に移動して、上側（中間部）あるいは下側（先端部）の回転体７を押圧した時に保持部材８がかご１方向に移動（回動）する。この時、緩衝機構２５のバネ２１が縮んで、制御ケーブル４が回転体７に接触して押圧した時の衝撃エネルギーを吸収する。なお、制御ケーブル４が回転体７から離れるとバネ２１が昇降路３の壁面３ａ方向に伸び、保持部材８が押圧される前の位置に戻る。
【００１９】
このようなエレベータ制御ケーブルの保護装置６によれば、一端をかご１の底部１ａから吊設し他端を昇降路３に設けた中継点５に吊設して昇降路３の壁面３ａに沿って垂下した制御ケーブル４の壁面３ａ側に対向して、制御ケーブル４のかご１への接触を防ぐ回転体７を保持部材８により回転自在に保持してかご１の底部１ａに配設したエレベータ制御ケーブルの保護装置６において、かご１の底部１ａに、保持部材８を回動可能に保持する固定部材２４と、保持部材８に回動可能に連結してかご１方向へ伸縮する緩衝機構２５と、を備えているので、制御ケーブル４が回転体７に接触して回転体７を押圧した時の衝撃を緩衝機構２５のバネ２１がかご１方向に縮んで吸収することにより、騒音の発生を防ぐことができる。
【００２０】
そして、緩衝機構２５は、保持部材８に対向した孔２３ａを有しかご１の底部１ａに配設した金具２３と、一端部が保持部材８に連結され他端部が孔２３ａに挿通されたバネロッド２０と、バネロッド２０に装着されたバネ２１と、孔２３ａに挿入されたバネロッド２０の他端部側に固定されたストッパ２２と、を備えているので簡単な構成で緩衝機能を得ることが出来る。
【００２１】
さらに、回転体７を上下方向に少なくとも２つ並設して備えているので、かご１が最下階に近づいてかご１の底部１ａと制御ケーブル４との距離が近くなった時に、下側（先端部）の回転体７に制御ケーブル４が接触して押圧するので、制御ケーブル４があまり曲がっていない状態でかご１との接触を防ぐことで、制御ケーブル４に急激な負荷を与えなくてすむ。
【００２２】
また、回転体７は円筒形状の第１のローラー１１と第１のローラー１１の内径より外形が小さい円筒形状の第２のローラー１２を備えており、第１のローラー１１に第２のローラー１２を遊挿した構成としているので、第２のローラー１２の遊挿する深さを変えて円筒方向の長さを変えることが可能であり、制御ケーブル４の幅や本数が変わった時もそれらに応じた長さに変えることが出来る。
【符号の説明】
【００２３】
６  エレベータ制御ケーブルの保護装置、７  回転体、８  保持部材、８ａ  孔、９  固定具、１０  取付けボルト、１１  第１のローラー、１２  第２のローラー、１３  ローラー軸、１４  ブッシュ、１４ａ  孔、１４ｂ  端面、１５  栓、１５ａ  孔、１６  止め具、２０  バネロッド、２０ａ  連結部、２１  バネ、２２  ストッパ、２３  金具、２３ａ  孔、２４  固定部材、２４ａ  孔、２５  緩衝機構。
【図１】
2014037301.tif 000003
【図２】
2014037301.tif 000004
【図３】
2014037301.tif 000005
【図４】
2014037301.tif 000006